(57)【要約】【課題】広い内部空間及び広い屋上面を確保でき且つ製造コストを抑えることができるログハウス及びログハウス群を提供する。【解決手段】  本発明のログハウス10は、屋上面40と、水平方向にのびる複数の長尺材21が高さ方向に積み重ねられて成る外壁20を複数面備えるログハウスにおいて、前記一面の外壁を構成する各長尺材が外壁の横幅よりも長い延長部22を備えており、前記屋上面へと至る階段30が、長さの異なる前記各延長部を組み合わせて成る。屋上面へと至る階段を外壁と一体化させることで、階段をログハウス内に設ける場合と比較して内部空間を広くとることができると共に階段の製造コストを抑えることができる。【選択図】図1
2018062819.tif 000002
【特許請求の範囲】
【請求項１】
屋上面と、水平方向にのびる複数の長尺材が高さ方向に積み重ねられて成る外壁を複数面備えるログハウスにおいて、
前記一面の外壁を構成する各長尺材が外壁の横幅よりも長い延長部を備えており、
前記屋上面へと至る階段が、長さの異なる前記各延長部を組み合わせて成ることを特徴とするログハウス。
【請求項２】
屋上面と、水平方向にのびる複数の長尺材が高さ方向に積み重ねられて成る外壁を複数面備えるログハウスにおいて、
前記屋上面が平面であり、且つ当該屋上面の縁部が前記外壁より外側にのびていることを特徴とするログハウス。
【請求項３】
屋上面と、水平方向にのびる複数の長尺材が高さ方向に積み重ねられて成る外壁を複数面備えるログハウスにおいて、
内部から前記外壁を貫通して外部に至る棒状部材を複数備えており、
下方から上方へと傾斜配置された前記各棒状部材によって内部階段と外部階段とを兼用することを特徴とするログハウス。
【請求項４】
請求項1〜3に記載の各ログハウスのうち2つ以上のログハウスを一つの前記屋上面で連結することを特徴とするログハウス群。
【発明の詳細な説明】
【技術分野】
【０００１】
本発明は、ログハウス及びこのログハウスを複数配置して成るログハウス群に関する。
【背景技術】
【０００２】
丸太や角材を組み合わせて成るログハウスは山間地、丘陵地、海辺等に建てられて別荘として使用されることが少なくなく、一般住宅と比較して高い趣味性が求められる。
例えば特許文献1には、丸太を垂直に連続して並べて形成した側壁と、床面（屋上面）と、側壁の上端を覆う透明な屋根を備えるログハウスが開示されている。
このログハウスの場合、使用者は内部に架設したハシゴを利用して屋上面に登り、透明の屋根を介して天体観察等を楽しむことができる。
【先行技術文献】
【特許文献】
【０００３】
【特許文献１】特開平11−210114号公報
【発明の概要】
【発明が解決しようとする課題】
【０００４】
しかし、上記従来技術では以下のような問題がある。
すなわち、ログハウス内部に架設するハシゴの分だけ内部空間が狭くなるという問題や、ハシゴを登った使用者が屋上面に上がるための開口部を設ける必要があり製造コストが増加するという問題がある。
また、このログハウスは屋上面の周囲を囲むように丸太を並べることで側壁を形成している。つまり、側壁で囲んだ内側に屋上面を取り付ける構造のため、屋上面の面積を広げることが難しいという問題もある。
【０００５】
本発明は上記問題に鑑み、広い内部空間及び広い屋上面を確保でき且つ製造コストを抑えることができるログハウス及びログハウス群を提供することを課題とする。
【課題を解決するための手段】
【０００６】
本発明のログハウスは、屋上面と、水平方向にのびる複数の長尺材が高さ方向に積み重ねられて成る外壁を複数面備えるログハウスにおいて、前記一面の外壁を構成する各長尺材が外壁の横幅よりも長い延長部を備えており、前記屋上面へと至る階段が、長さの異なる前記各延長部を組み合わせて成ることを特徴とする。
また、本発明のログハウスは、屋上面と、水平方向にのびる複数の長尺材が高さ方向に積み重ねられて成る外壁を複数面備えるログハウスにおいて、前記屋上面が平面であり、且つ当該屋上面の縁部が前記外壁より外側にのびていることを特徴とする。
また、本発明のログハウスは、屋上面と、水平方向にのびる複数の長尺材が高さ方向に積み重ねられて成る外壁を複数面備えるログハウスにおいて、内部から前記外壁を貫通して外部に至る棒状部材を複数備えており、下方から上方へと傾斜配置された前記各棒状部材によって内部階段と外部階段とを兼用することを特徴とする。
本発明のログハウス群は、上記各ログハウスのうち2つ以上のログハウスを一つの前記屋上面で連結することを特徴とする。
【発明の効果】
【０００７】
本発明のログハウスは、外壁を構成する長尺材の長さを外壁の横幅よりも長くして、更に各長尺材（延長部）の長さを変えることで階段を形成する。屋上面へと至る階段を外壁と一体化させることで、階段をログハウス内に設ける場合と比較して内部空間を広くとることができると共に階段の製造コストを抑えることができる。また、一階に居る使用者に対して階段が風よけや日よけとして機能するという効果もある。
また、屋上面を平面にしてその縁部を外壁より外側にのばすことで屋上面の面積を広げることができる。
また、ログハウスの内部から外壁を貫通して外部に至る棒状部材を傾斜配置して内部階段と外部階段を一体形成することにすれば階段の製造コストを抑えることができると共に屋上面に至るルートをログハウスの内と外の2箇所に設けることができる。
また、上記各ログハウスのうち2つ以上のログハウスを一つの屋上面で連結すれば、多目的に使用できる広大な屋上面を備えた極めて趣味性の高いログハウス群を得られる。
【図面の簡単な説明】
【０００８】
【図１】第1の実施の形態のログハウスの右側面図であって土台が付いた状態を示す図(a)、正面図(b)、背面図(c)、右側面図(d)、左側面図(e)、平面図(f)及び底面図(g)
【図２】ログハウスの斜視図
【図３】階段のバリエーションを示す部分拡大図(a)〜(c)
【図４】ログハウスの他の構成例を示す斜視図(a)及び(b)
【図５】ログハウスの他の構成例を示す正面図(a)、背面図(b)、右側面図(c)、左側面図(d)、平面図(e)及び底面図(f)
【図６】第2の実施の形態のログハウスの正面図(a)、背面図(b)、右側面図(c)、左側面図(d)、平面図(e)、底面図(f)及びログハウスの一階の内部構造を示す横断面図(g)
【図７】ログハウス群の構成例を示す斜視図(a)〜(d)
【発明を実施するための形態】
【０００９】
［第1の実施の形態］
以下、本発明のログハウスの第1の実施の形態について説明する。
図1及び図2に示すように、ログハウス10は外壁20、階段30及び屋上面40から概略構成される。なお、図1(a)に示すようにログハウス10は土台等Aの上に設置するが、他の図では土台等Aの図示を省略する。
外壁20は水平方向にのびる複数の長尺材21を高さ方向に積み重ねて構成される。長尺材21としては木材が挙げられるが、必ずしもこれに限らず、金属製や樹脂製であってもよい。また、長尺材21の断面形状としては円形や矩形が挙げられるが、必ずしもこれらに限らない。
本実施の形態のログハウス10は四面の外壁20を直交させた略直方体形状になっている。二面の外壁20が交差する角隅部分では長尺材21同士が交差した状態で重なり合っている。
【００１０】
階段30は複数の外壁20のうち一面の外壁20に形成される。具体的には、外壁20を構成する各長尺材21が外壁20の横幅よりも長い延長部22を備えており、各延長部22の長さを適宜調節することで階段30を形成している。使用者は階段30を利用して床面と屋上面40を昇り降りできる。
図3(a)では階段30を一段飛ばし、すなわち一段目と二段目の間に短めの長尺材21を一本介在させた状態を示している。なお、図1及び図2の階段30も一段飛ばしになっている。
他にも図3(b)に示すように二段飛ばしの構成や、図3(c)に示すように上に向かうにつれて延長部22を順に短くする構成にしてもよい。
【００１１】
屋上面40は平面であり、その縁部41が外壁20より外側にのびている。すなわち、屋上面40の面積は四面の外壁20で囲まれた範囲の面積よりも大きくなっており、屋上面40は四面の外壁20の上部に固定される。屋上面40の縁部41が外壁20よりも外側にのびることで庇として機能する。なお、屋上面40を水平面に対して僅かに傾斜させることで排水機能を持たせることが好ましい。
屋上面40の使用方法は特に限定されるものではなく、そのまま使用したり、或いは図4(a)に示すようにテントBを張ったり、図4(b)に示すように構造物Cを建てたりしてもよい。
なお、本実施の形態のログハウス10は外壁20を利用した階段30を備えるものとしたが、図5に示すように外壁20を利用した階段30を備えない構成にしてもよい。この場合、図示は省略するがログハウス内部に設けた階段か、ログハウス外部に架設したハシゴを利用して屋上面40に登ることになる。
【００１２】
［第2の実施の形態］
次に、本発明のログハウスの第2の実施の形態について説明するが、上記第1の実施の形態と同一の構成になる箇所については同一の符号を付してその説明を省略する。
図6に示すように、本実施の形態のログハウス50は、第1の実施の形態のログハウス10に対して内部階段51(図6(g)参照)と外部階段52を一体成形した点に特徴を有する。
具体的には、ログハウス50の内部から外壁20を貫通して外部にまで至る棒状部材60を下方から上方へと傾斜配置している。強度を確保するために棒状部材60はボルト・ナット等の周知の締結手段で長尺材21に強固に固定するのが好ましい。
本実施の形態のログハウス50によれば内部階段51及び外部階段52の製造コストを抑えることができると共に屋上面40に至るルートをログハウス50の内と外の2箇所に設けることができる。
なお、説明は省略するが、本実施の形態のログハウスは内部にロフトを備えると共に屋上面40を上下の2層備えており、更に各屋上面40に至る階段30を2つ備えている。
【００１３】
次に、本発明のログハウス群について説明する。
本発明のログハウス群は、上記各実施の形態で示したログハウスを2つ以上備えており、各ログハウスを一つの屋上面で連結した点に特徴を有する。
図7(a)及び図7(b)に示すログハウス群100a,100bは、3つのログハウス101を矩形の一つの屋上面102で連結している。
図7(c)に示すログハウス群100cは、3つのログハウス101をL字型の屋上面103で連結すると共に、当該屋上面103の上に1つのログハウス101を備えている。
図7(d)に示すログハウス群100dは、左右2つのログハウス101を矩形の屋上面104で連結したものを上下2層に配置している。
【産業上の利用可能性】
【００１４】
本発明は、広い内部空間及び広い屋上面を確保でき且つ製造コストを抑えることができるログハウス及びログハウス群に関するものであり、産業上の利用可能性を有する。
【符号の説明】
【００１５】
A 土台等
B テント
C 構造物
10 ログハウス
20 外壁
21 長尺材
22 延長部
30 階段
40 屋上面
41 縁部
50 ログハウス
51 内部階段
52 外部階段
60 棒状部材
100a〜100d ログハウス群
101 ログハウス
102〜104 屋上面
【図１】
2018062819.tif 000003
【図２】
2018062819.tif 000004
【図３】
2018062819.tif 000005
【図４】
2018062819.tif 000006
【図５】
2018062819.tif 000007
【図６】
2018062819.tif 000008
【図７】
2018062819.tif 000009